(57)【要約】【課題】放電灯の点灯始動性を向上できる点灯装置、光源装置、プロジェクタ及び放電灯の点灯方法を提供すること。【解決手段】一対の電極Ｅが設けられ、水銀を含む発光物質が封入された放電灯を点灯させる点灯装置８は、水銀が付着しやすい電極ＥＬに接続される第１端子８３Ｌ、及び、水銀が付着しにくい電極ＥＲに接続される第２端子８３Ｒと、絶縁破壊後から一対の電極Ｅの先端同士で放電が開始されるまでの始動期間に、各端子８３に供給される交流電流を設定する設定手段（制御装置）８２と、当該交流電流を各端子８３に供給する供給手段（供給装置）８１とを備える。設定手段８２は、始動期間の初期に、第１端子８３Ｌ側が陰極で始まり、かつ、第１端子８３Ｌに供給される半周期の電気量が第２端子８３Ｒに供給される半周期の電気量より大きく、始動期間の終期に、各端子８３に供給される半周期の電気量が略同じとなる交流電流を設定する。【選択図】図３
2010135141.tif 000002
【特許請求の範囲】
【請求項１】
内部に一対の電極が設けられ、当該一対の電極間に水銀を含む発光物質が封入された放電灯を点灯させる点灯装置であって、
前記一対の電極のうち、前記水銀が付着しやすい電極に接続される第１端子、及び、前記水銀が付着しにくい電極に接続される第２端子と、
前記放電灯の絶縁破壊後から前記一対の電極の先端同士で放電が開始されるまでの始動期間に、前記各端子に供給される交流電流を設定する設定手段と、
前記設定手段により設定された交流電流を、前記各端子に供給する供給手段とを備え、
前記設定手段は、前記始動期間の初期に、前記第１端子側が陰極で始まり、かつ、当該第１端子に供給される半周期の電気量が前記第２端子に供給される半周期の電気量より大きく、前記始動期間の終期に、前記各端子に供給される半周期の電気量がそれぞれ略同じとなる交流電流を設定することを特徴とする点灯装置。
【請求項２】
請求項１に記載の点灯装置において、
前記設定手段は、前記始動期間にて、前記第２端子に供給される半周期の電気量を段階的に増加させることを特徴とする点灯装置。
【請求項３】
請求項１又は請求項２に記載の点灯装置において、
前記設定手段は、周波数及び電流値の少なくともいずれかを調整して、前記供給手段により供給される交流電流の半周期の電気量を設定することを特徴とする点灯装置。
【請求項４】
請求項１から請求項３のいずれかに記載の点灯装置において、
前記設定手段により設定される交流電流の周波数は、５Ｈｚより大きいことを特徴とする点灯装置。
【請求項５】
請求項１から請求項４のいずれかに記載の点灯装置において、
前記放電灯は、
前記一対の電極及び前記発光物質が封入された発光部と、
前記発光部における前記一対の電極のうちの一方が配置される側の端部を覆う反射部材とを備え、
前記第１端子は、前記反射部材が設けられた側とは反対側に位置する前記電極に接続されることを特徴とする点灯装置。
【請求項６】
内部に一対の電極が設けられ、当該一対の電極間に水銀を含む発光物質が封入された放電灯と、請求項１から請求項５のいずれかに記載の点灯装置とを備えることを特徴とする光源装置。
【請求項７】
請求項６に記載の光源装置と、当該光源装置から射出された光束を画像情報に応じて変調する光変調装置と、変調された前記光束を投射する投射光学装置とを備えることを特徴とするプロジェクタ。
【請求項８】
内部に一対の電極が配置され、当該一対の電極間に水銀を含む発光物質が封入された発光部を有する放電灯を点灯させる放電灯の点灯方法であって、
前記放電灯の絶縁破壊後から前記一対の電極の先端同士で放電が開始されるまでの始動期間の初期に、水銀が付着しやすい前記電極に接続された端子側が陰極で始まり、かつ、当該端子に供給される半周期の電気量が他方の電極に接続される端子に供給される半周期の電気量より大きく、前記始動期間の終期に、前記各端子に供給される半周期の電気量がそれぞれ略同じとなる交流電流を、前記各端子に供給する電流供給手順を有することを特徴とする放電灯の点灯方法。
【発明の詳細な説明】
【技術分野】
【０００１】
本発明は、放電灯を点灯させる点灯装置、当該点灯装置と放電灯とを備える光源装置、当該光源装置を備えるプロジェクタ、及び、放電灯の点灯方法に関する。
【背景技術】
【０００２】
従来、内部に一対の電極が配置される放電空間が形成された発光部と、当該発光部を挟んで互いに離間する方向に延出し、かつ、内部に各電極に接続される電極引出線が設けられた一対の封止部とを有する発光管を備えた超高圧水銀ランプ等の放電灯が知られている。このような放電灯の放電空間内には、水銀及び希ガス等の発光物質が封入されており、当該水銀は、放電灯の消灯時に、同じく放電空間内に配置される一対の電極のうち、冷えやすい側の電極に付着する。このような水銀の取り付きにより、安定したアーク放電に至るまでの放電現象が影響を受ける。
【０００３】
すなわち、アーク放電の初期段階においては、仕事関数が小さい水銀からアーク放電が開始され、タングステンから成る電極でのアーク放電は、当該タングステンが熱電子放出を行える温度（熱電子放出温度）に至ってから開始される。この間の挙動は、水銀の取り付き方と、それに合わせた電子放出のさせ方とに影響を受ける。水銀の取り付き方に合わない電子放出をさせようとしても、タングステン電極が熱電子放出温度に至っていない場合には、グロー放電が混在し、タングステン電極が陰極スパッタリングを受けて発光部容器内がタングステン過多になり、発光部容器内壁にタングステンが取り付く黒化現象を誘発する。これによって寿命が短くなってしまう。
【０００４】
ここで、放電灯の点灯を制御する点灯制御装置として、放電灯（放電ランプ）の点灯始動時に交流矩形波電圧を印加し、グロー放電からアーク放電への移行時に直流電圧を印加し、定常点灯時に交流矩形波電圧を印加する高圧放電ランプ点灯装置が知られている（例えば、特許文献１参照）。
この特許文献１に記載の高圧放電ランプ点灯装置では、高周波の交流電圧を放電灯の起動時に印加することにより、極性反転に応じて、それぞれの電極に電流を印加することができ、この後、直流電圧を印加することにより、各電極の温度上昇を行うことができる。更に、この後、交流電圧を印加することにより、安定して定常点灯を行うことができる。
【０００５】
【特許文献１】特開２００４−３９３９１号公報
【発明の開示】
【発明が解決しようとする課題】
【０００６】
ここで、放電灯の消灯時に、冷えやすい側の電極に水銀が偏って付着している状態で、特許文献１に記載のような交流電流を放電灯の始動期間に供給すると、水銀が付着していない電極と、水銀が付着している電極との間で、一方向への電流の導通のみが確認される非対称電流（半波電流）駆動となりやすく、放電灯の点灯始動性が低下する。そして、当該非対称電流駆動の期間が長い場合、一方の電極から放出された電子が、発光部の管壁に衝突しやすくなり、当該管壁の構成素材（例えば、ガラス）を蒸発させてしまう。このようにして蒸発した構成素材は、発光部内部の環境を変化させ、電極の消耗等、著しい放電灯の劣化を引き起こす。このため、放電灯の点灯始動性の向上を図ることができる点灯装置が要望されてきた。
【０００７】
本発明の目的は、放電灯の点灯始動性を向上することができる点灯装置、光源装置、プロジェクタ及び放電灯の点灯方法を提供することである。
【課題を解決するための手段】
【０００８】
前記した目的を達成するために、本発明の点灯装置は、内部に一対の電極が設けられ、当該一対の電極間に水銀を含む発光物質が封入された放電灯を点灯させる点灯装置であって、前記一対の電極のうち、前記水銀が付着しやすい電極に接続される第１端子、及び、前記水銀が付着しにくい電極に接続される第２端子と、前記放電灯の絶縁破壊後から前記一対の電極の先端同士で放電が開始されるまでの始動期間に、前記各端子に供給される交流電流を設定する設定手段と、前記設定手段により設定された交流電流を、前記各端子に供給する供給手段とを備え、前記設定手段は、前記始動期間の初期に、前記第１端子側が陰極で始まり、かつ、当該第１端子に供給される半周期の電気量が前記第２端子に供給される半周期の電気量より大きく、前記始動期間の終期に、前記各端子に供給される半周期の電気量がそれぞれ略同じとなる交流電流を設定することを特徴とする点灯装置。
【０００９】
本発明によれば、放電灯の始動期間の初期に供給される交流電流の半周期の電気量は、水銀が付着しやすい電極に接続された端子の方が、水銀が付着しにくい電極に接続される端子より大きい。これによれば、水銀は、仕事関数が小さく、電子を放出しやすいので、電極に付着した水銀から電子を多量に放出させて、水銀が付着していない電極の温度上昇を促進することができる。
【００１０】
一方、水銀からの電子の衝突により、水銀が付着していない電極の温度が熱電子放出に要する温度（熱電子放出温度）に達すると、当該電極からも電子の放出が可能となり、当該電子が衝突することにより、電極に付着した水銀が蒸発する。この際、付着していた水銀が蒸発した電極では、既に電子の放出を行っている電極に比べて温度が低いため、水銀が蒸発して露出した電極からの電子の放出は生じにくい。
【００１１】
しかしながら、始動期間の終期になると、当該各端子に供給される半周期の電気量が略同じとなるため、すなわち、既に電子を放出している電極（水銀が付着しにくい電極）からの電子の放出量が、始動期間の初期に比べて増えるため、当該放出された電子が衝突することで、露出した電極（水銀が付着していた電極）の温度上昇を速やかに行うことができる。
従って、放電灯の始動期間を短縮することができ、速やかに定常点灯状態に移行することができるので、放電灯の点灯始動性を向上することができる。また、当該始動期間が短縮されるので、放電灯の損傷を抑制することができるほか、電極の劣化を抑制することができるので、当該放電灯の長寿命化を図ることができる。
【００１２】
本発明では、前記設定手段は、前記始動期間にて、前記第２端子に供給される半周期の電気量を段階的に増加させることが好ましい。
本発明によれば、放電灯の始動期間の初期から終期に向かうに従って、第２端子に供給される半周期の電気量は増加する。これによれば、電極に付着した水銀の蒸発具合に応じて、当該水銀が蒸発して露出した電極に多くの電子を衝突させることができるので、当該電極の温度上昇を図ることができる。従って、各電極の温度上昇を一層促進することができ、放電灯の点灯始動性を一層向上することができる。
【００１３】
本発明では、前記設定手段は、周波数及び電流値の少なくともいずれかを調整して、前記供給手段により供給される交流電流の半周期の電気量を設定することが好ましい。
ここで、半周期の電気量を制御する際には、電流値、電圧値及び周波数（半周期の幅）の少なくともいずれかを制御することが考えられる。しかしながら、電圧値は放電灯の特性で決まってしまうため、意図的な制御は困難である。
これに対し、本発明によれば、各端子に供給される交流電流の周波数（すなわち半周期の幅）及び電流値の少なくともいずれかを調整することにより、当該各端子に供給される半周期の電気量を容易に設定することができる。従って、各端子への交流電流の供給制御を容易に行うことができる。
【００１４】
本発明では、前記設定手段により設定される交流電流の周波数は、５Ｈｚより大きいことが好ましい。より詳しくは、当該周波数は、５Ｈｚより大きく、５００Ｈｚ以下であることが好ましい。
ここで、電極から放出された電子が放電灯の内壁に継続して衝突することで、当該内壁が損傷するまでに要する時間は０．１秒以上と考えられている。このため、各端子に供給する交流電流の周波数を５Ｈｚ（半周期が０．１秒）より大きい周波数とすることにより、一方の電極から放出された電子が放電灯の内壁に継続して衝突した場合でも、当該内壁が損傷することを抑制できる。従って、放電灯の劣化を抑制することができる。
なお、交流電流の周波数を５００Ｈｚより大きい周波数に設定してしまうと、前述の非対称電流（半波電流）駆動となりやすいため、５Ｈｚより大きく、５００Ｈｚ以下とすることで、放電灯の劣化を抑制しつつ、各電極に対する電流の供給を適切に行うことができる。
【００１５】
本発明では、前記放電灯は、前記一対の電極及び前記発光物質が封入された発光部と、前記発光部における前記一対の電極のうちの一方が配置される側の端部を覆う反射部材とを備え、前記第１端子は、前記反射部材が設けられた側とは反対側に位置する前記電極に接続されることが好ましい。
本発明によれば、発光部の一方の端部側を覆う反射部材により、当該発光部から射出された光のうち、反射部材側に射出された光を、当該反射部材側とは反対側に反射することができる。これによれば、発光部から射出された光の進行方向を、反射部材側とは反対側に規定することができるので、当該光を有効に利用することができる。
また、このような反射部材が設けられている場合、放電灯の消灯時には、当該反射部材により発光部の反射部材側が保温されるので、当該反射部材が設けられた側の電極は冷えにくくなるのに対し、他方の電極は冷えやすい。このため、当該他方の電極に、水銀が付着しやすくなる。これに対し、当該水銀が付着しやすい電極に接続される端子を、前述の第１端子とすることにより、放電灯の始動期間の初期に、水銀が付着しやすい電極に対して半周期の電気量が大きな電流を供給することができる。
従って、放電灯の点灯始動性を向上することができるとともに、放電灯の利便性を向上することができる。
【００１６】
また、本発明の光源装置は、内部に一対の電極が設けられ、当該一対の電極間に水銀を含む発光物質が封入された放電灯と、前述の点灯装置とを備えることを特徴とする。
本発明によれば、前述の点灯装置と同様の効果を奏することができる。また、光源装置を構成する放電灯の特性に応じて、各電極に供給される半周期の電気量を設定することができるので、当該放電灯の点灯始動性を一層向上することができる。
【００１７】
また、本発明のプロジェクタは、前述の光源装置と、当該光源装置から射出された光束を画像情報に応じて変調する光変調装置と、変調された前記光束を投射する投射光学装置とを備えることを特徴とする。
本発明によれば、前述の光源装置と同様の効果を奏することができる。また、放電灯の点灯始動性を向上することができることに伴い、放電灯の長寿命化を図ることができるので、光源装置を頻繁に交換する必要がなく、プロジェクタのメンテナンスの手間を省くことができる。
【００１８】
また、本発明の放電灯の点灯方法は、内部に一対の電極が配置され、当該一対の電極間に水銀を含む発光物質が封入された発光部を有する放電灯を点灯させる放電灯の点灯方法であって、前記放電灯の絶縁破壊後から前記一対の電極の先端同士で放電が開始されるまでの始動期間の初期に、水銀が付着しやすい前記電極に接続された端子側が陰極で始まり、かつ、当該端子に供給される半周期の電気量が他方の電極に接続される端子に供給される半周期の電気量より大きく、前記始動期間の終期に、前記各端子に供給される半周期の電気量がそれぞれ略同じとなる交流電流を、前記各端子に供給する電流供給手順を有することを特徴とする。
本発明によれば、前述の点灯装置と同様の効果を奏することができる。
【発明を実施するための最良の形態】
【００１９】
〔１．第１実施形態〕
以下、本発明の第１実施形態を図面に基づいて説明する。
〔プロジェクタの概略構成〕
図１は、本実施形態に係るプロジェクタ１の概略構成を示す模式図である。
プロジェクタ１は、内部に設けられた光源装置４１１から射出される光束を画像情報に応じて変調して画像光を形成し、当該画像光をスクリーン（図示省略）等の投射面上に拡大投射するものである。このプロジェクタ１は、図１に示すように、外装筐体２と、投射レンズ３と、光学ユニット４等を備えている。
また、これらの他に、プロジェクタ１は、当該プロジェクタ１内部を冷却する冷却ファン等で構成される冷却ユニット９１、プロジェクタ１内部の各構成部材に電力を供給する電源ユニット９２、及び、プロジェクタ１全体を制御する制御ユニット９３等を備え、これらは、外装筐体２内に配置されている。
【００２０】
〔外装筐体及び投射レンズの構成〕
外装筐体２は、投射レンズ３及び光学ユニット４等を内部に収納配置するものであり、全体略直方体状に形成されている。なお、本実施形態では、外装筐体２は合成樹脂により形成されているが、これに限らず、金属等の他の材料により形成されていてもよい。
投射レンズ３は、光学ユニット４にて形成された画像光を、スクリーン（図示省略）等の投射面上に結像させるとともに、当該画像光に係る画像を拡大投射する投射光学装置である。この投射レンズ３は、筒状の鏡筒内に複数のレンズが収納された組レンズとして構成されている。
【００２１】
〔光学ユニットの構成〕
光学ユニット４は、前述の制御ユニット９３による制御の下、画像情報に応じた画像光を形成するユニットである。この光学ユニット４は、外装筐体２の背面に沿って延出するとともに、外装筐体２の側面に沿って延出する平面視略Ｌ字形状を有している。
この光学ユニット４は、照明光学装置４１と、色分離光学装置４２と、リレー光学装置４３と、光学装置４４と、これら光学部品４１〜４４を内部に収納配置するとともに、投射レンズ３を所定位置で支持固定する光学部品用筐体４５とを備えている。
【００２２】
照明光学装置４１は、後述する液晶パネル４４２の画像形成領域をほぼ均一に照明する。この照明光学装置４１は、光源装置４１１と、一対のレンズアレイ４１２，４１３と、偏光変換素子４１４と、重畳レンズ４１５とを備えている。
【００２３】
このうち、光源装置４１１は、放射状の光線を射出する放電灯５と、当該放電灯５から射出された放射光を反射して、所定位置に収束させる主反射鏡６と、主反射鏡６にて反射され収束される光束を照明光軸Ａに対して平行化する平行化凹レンズ７と、これらを内部に収納するハウジング（図示省略）と、放電灯５を点灯させる点灯装置８とを備えている。なお、放電灯５、主反射鏡６及び点灯装置８の構成については、後に詳述する。
【００２４】
色分離光学装置４２は、ダイクロイックミラー４２１，４２２及び反射ミラー４２３を備え、リレー光学装置４３は、入射側レンズ４３１、リレーレンズ４３３及び反射ミラー４３２，４３４を備えている。
光学装置４４は、フィールドレンズ４４１と、光変調装置としての３つの液晶パネル４４２（赤色光用の液晶パネルを４４２Ｒ、緑色光用の液晶パネルを４４２Ｇ、青色光用の液晶パネルを４４２Ｂとする）と、それぞれ３つの入射側偏光板４４３、視野角補償板４４４及び射出側偏光板４４５と、色合成光学装置としてのクロスダイクロイックプリズム４４６とを備えている。
【００２５】
このような光学ユニット４では、前述の構成により、照明光学装置４１により射出され、照明領域内の照度が均一化された光束は、色分離光学装置４２にてＲ（赤），Ｇ（緑），Ｂ（青）の３つの色光に分離される。これら分離された各色光は、対応する各液晶パネル４４２にて画像情報に応じてそれぞれ変調され、色光毎の画像光が形成される。そして、色光毎の画像光は、クロスダイクロイックプリズム４４６にて合成され、投射レンズ３により投射面上に拡大投射される。
【００２６】
〔放電灯の構成〕
図２は、光源装置４１１を示す縦断面図である。なお、図２においては、光源装置４１１を構成する放電灯５及び主反射鏡６について図示し、平行化凹レンズ７、ハウジング及び点灯装置８については、図示を省略する。
放電灯５は、後述する点灯装置８から供給される電流によって発光する光源であり、図２に示すように、石英ガラスにより形成された発光管５１と、当該発光管５１に取り付けられる副反射鏡５２及びトリガー線５３とを備えている。なお、このような放電灯５としては、高輝度発光する種々の放電光源ランプを採用することができ、例えば、メタルハライドランプ、高圧水銀ランプ及び超高圧水銀ランプ等を採用することができる。
【００２７】
〔発光管の構成〕
発光管５１は、当該発光管５１の中央部分に形成され、かつ、略球状に膨出する発光部５１１と、発光部５１１を挟み、かつ、当該発光部５１１の両端から互いに離間する方向に延出する一対の封止部５１２，５１３（図２における左側の封止部を５１２、右側の封止部を５１３とする）とを備えている。
このうち、発光部５１１の内部には、一対の電極Ｅ（封止部５１２側の電極をＥＬ、封止部５１３側の電極をＥＲとする）が配置され、当該一対の電極Ｅ間には、水銀、希ガス及び少量のハロゲンを含む発光物質が封入された放電空間Ｓが形成されている。
【００２８】
一対の封止部５１２，５１３の内部には、発光部５１１内の電極ＥＬ，ＥＲにそれぞれ電気的に接続されるモリブデン製の金属箔５１２１，５１３１が挿入され、当該一対の封止部５１２，５１３における発光部５１１とは反対側の端部は、ガラス材料等で封止されている。これら各金属箔５１２１，５１３１には、さらに電極引出線５１４，５１５がそれぞれ接続され、当該電極引出線５１４，５１５は、発光管５１の外部まで延出している。そして、これら電極引出線５１４，５１５に対して、後述する点灯装置８により電流が供給されると、金属箔５１２１，５１３１を介して電極ＥＬ，ＥＲ間に電位差が生じて放電が発生し、アーク像Ｄが形成されて発光部５１１内部が発光する。
【００２９】
〔主反射鏡の構成〕
ここで、主反射鏡６について説明する。
主反射鏡６は、本発明の反射鏡に相当し、入射した光を反射して、照明光軸Ａ上の第２焦点に収束させるガラス製の一体成形品である。この主反射鏡６は、封止部５１２に接着剤Ｂにより固定される。このような主反射鏡６には、封止部５１２が挿通される略円筒状の首状部６１と、当該首状部６１から拡がる凹曲面状の反射部６２とが形成されている。
このうち、反射部６２において発光部５１１に対向する側の回転曲線形状の面には、金属薄膜が蒸着された反射面６２１が形成されている。この反射面６２１は、可視光を反射し、かつ、赤外線及び紫外線を透過するコールドミラーとして形成されている。
【００３０】
首状部６１には、封止部５１２が挿通される平面視略円形状の開口６１１が形成されており、封止部５１２が挿通された状態で接着剤Ｂが当該開口６１１内に注入され、これにより、封止部５１２と主反射鏡６とが接着固定される。この際、放電灯５と主反射鏡６との位置は、当該放電灯５の発光部５１１におけるアーク像Ｄの中心位置Ｃが、反射面６２１の第１焦点近傍となるように設定されている。
なお、本実施形態では、主反射鏡６は、回転楕円面を有する楕円面リフレクタで構成されているが、回転放物面を有する放物面リフレクタで構成してもよい。この場合には、平行化凹レンズ７を省略した構成とする。さらに、主反射鏡６は、自由曲面リフレクタで構成してもよい。
【００３１】
〔副反射鏡の構成〕
副反射鏡５２は、本発明の反射部材に相当し、発光部５１１における封止部５１３側を覆うガラス製の成形品であり、発光管５１と同様の素材により形成されている。この副反射鏡５２には、封止部５１３が挿通される開口５２１１を有する略円筒状の首状部５２１と、当該首状部５２１から拡がる反射部５２２とが形成されている。
【００３２】
このうち、反射部５２２は、封止部５１３に副反射鏡５２が取り付けられた際、発光部５１１における封止部５１３側を覆うように配置され、当該発光部５１１の外形に沿う略椀状に形成されている。この反射部５２２における発光部５１１と対向する面には、反射面５２２１が形成されており、当該反射面５２２１は、可視光を反射し、かつ、赤外線及び紫外線を透過するコールドミラーとして形成されている。
【００３３】
このような副反射鏡５２を発光管５１に取り付けることにより、発光部５１１から射出された光のうち、主反射鏡６側とは反対側に射出された光は、反射面５２２１により反射されて、主反射鏡６の反射面６２１に入射する。このため、当該光は、発光部５１１から反射面６２１に直接入射する光と同様に、当該反射面６２１にて反射され、第２焦点に集束する。これにより、発光部５１１から光源装置４１１の光束射出方向の先端側に直接射出され、かつ、当該光源装置４１１の光路後段に位置するレンズアレイ４１２に入射しない光の発生を抑えることができる。
【００３４】
また、このような副反射鏡５２により、発光部５１１の封止部５１３側（すなわち、電極ＥＲ側）が覆われることにより、電極ＥＲ側が保温される。このため、放電灯５の消灯時には、電極ＥＲは冷えにくい一方、電極ＥＬは冷えやすいので、放電物質に含まれる水銀は、電極ＥＬ側に付着しやすくなる。すなわち、電極ＥＬは、本発明の水銀が付着しやすい電極に相当し、電極ＥＲは、本発明の水銀が付着しにくい電極に相当する。
【００３５】
〔トリガー線の構成〕
トリガー線５３は、発光管５１の点灯始動性を向上するための始動補助線であり、一端が封止部５１２にコイル状に巻回され、中央が発光部５１１、副反射鏡５２及び封止部５１３に沿ってこれらの外側に配置され、他端が接続部５１６を介して電極引出線５１５に接続される。この接続部５１６には、主反射鏡６の反射部６２における端縁近傍に形成された挿通孔６２２を介して、当該主反射鏡６の外部に延出するリード線５１７の一端が接続され、当該リード線５１７の他端は、電極引出線５１５及びトリガー線５３に電圧を印加するための端子５４に接続されている。
このようなトリガー線５３を設け、当該トリガー線５３に高圧パルス電圧を印加することにより、放電灯５の点灯始動性を向上することができる。
【００３６】
〔点灯装置の構成〕
図３は、点灯装置８の構成を示す模式図である。
点灯装置８は、放電灯５の各電極Ｅに電流を供給して点灯を制御するものであり、複数の回路素子により構成されている。この点灯装置８は、図３に示すように、供給装置８１、制御装置８２及び端子８３を備えて構成されている。
このうち、端子８３は、コネクタとして構成され、前述の電極引出線５１４，５１５にそれぞれ接続される一対の端子８３Ｌ，８３Ｒを備えている。これらのうち、端子８３Ｌは、本発明の第１端子に相当し、電極引出線５１４を介して、水銀が付着しやすい電極ＥＬ（消灯時に冷えやすい電極ＥＬ）に接続される。また、端子８３Ｒは、本発明の第２端子に相当し、電極引出線５１５を介して、水銀が付着しにくい電極ＥＲ（消灯時に冷えにくい電極ＥＲ）に接続される。
【００３７】
〔供給装置の構成〕
供給装置８１は、本発明の供給手段に相当し、後述する制御装置８２の制御下で、電源ユニット９２から供給される直流電流を交流電流に変換して各電極Ｅに供給し、当該放電灯５を点灯させる。この供給装置８１は、ダウンチョッパ８１１、インバータブリッジ８１２及びイグナイタ回路８１３を備えて構成されている。
【００３８】
ダウンチョッパ８１１は、電源ユニット９２から略３００Ｖ〜４００Ｖで入力する直流電圧を、放電灯５に適した略５０Ｖ〜１５０Ｖに降下させる回路である。このダウンチョッパ８１１は、直列接続されるスイッチ素子８１１１及びコイル８１１２と、これらの素子から分岐して接続されるダイオード８１１３及びコンデンサ８１１４とを備えている。
スイッチ素子８１１１は、電源ユニット９２から入力した直流電圧を、所望の電圧に降下させる。また、コイル８１１２、ダイオード８１１３及びコンデンサ８１１４は、入力する直流電流の高周波成分の除去、整流、及び、入力される直流電圧の定電力化を行う素子として機能する。
【００３９】
インバータブリッジ８１２は、直流電流を交流矩形波電流に変換する機能を有し、一対のトランジスタ８１２１及び一対のトランジスタ８１２２を備えたブリッジ回路として構成されている。そして、これらトランジスタ８１２１及びトランジスタ８１２２の間に、端子８３Ｌ，８３Ｒを介して、電極ＥＬ，ＥＲが接続される。
このブリッジ回路には、ダウンチョッパ８１１を経て整流された直流電流が入力され、後述する制御装置８２がトランジスタ８１２１及びトランジスタ８１２２にパルス信号を与えると、一対のトランジスタ８１２１を含む経路と、一対のトランジスタ８１２２を含む経路とが交互に短絡して電流が流れ、これにより、その間に接続された端子８３を介して電極Ｅに交流矩形波電流が供給されるようになる。
【００４０】
イグナイタ回路８１３は、電極ＥＬ，ＥＲ間の絶縁破壊を行って、放電灯５の起動を促す回路として構成され、ダウンチョッパ８１１及びインバータブリッジ８１２と、放電灯５との間に、当該放電灯５と並列となるように接続されている。
このイグナイタ回路８１３は、詳しい図示を略したが、高圧パルス発生回路と、当該高圧パルス発生回路が一次側に接続されるパルストランスとを備えている。そして、高圧パルス発生回路で発生した高電圧パルスを、パルストランスの二次側で昇圧し、昇圧した電圧を端子８３、ひいては、電極Ｅに印加することにより、当該電極ＥＬ，ＥＲ間の絶縁が破壊され、電気的導通が確保されて放電灯５が始動する。
【００４１】
〔制御装置の構成〕
制御装置８２は、前述の制御ユニット９３による制御の下、前述のダウンチョッパ８１１及びインバータブリッジ８１２を構成するスイッチ素子８１１１及びトランジスタ８１２１，８１２２にパルス信号を出力し、これらのオン／オフ状態を制御するほか、イグナイタ回路８１３に始動信号を出力することにより、供給装置８１の駆動を制御し、もって放電灯５の点灯を制御する。このような制御装置８２は、本発明の設定手段に相当し、絶縁破壊制御部８２１、始動制御部８２２、立上期間制御部８２３及び定常点灯制御部８２４を備えている。
【００４２】
図４は、端子８３に供給されるランプ電力を示すグラフである。具体的に、図４（Ａ）は、当該ランプ電力の電力値変化を示すグラフであり、図４（Ｂ）は、当該ランプ電力の電圧値変化を示すグラフである。また、図４（Ｃ）は、当該ランプ電力の電流値変化を示すグラフであり、図４（Ｄ）は、当該ランプ電力の波形を示すグラフである。
制御装置８２の各機能部８２１〜８２４は、図４に示す絶縁破壊期間Ｔ１、始動期間Ｔ２、立上期間Ｔ３及び定常点灯期間Ｔ４にて、放電灯５に供給される電流の電流値及び周波数をそれぞれ設定して、供給装置８１の駆動を制御する。なお、ランプ電力の電圧値については、放電灯５の種別に応じて設定される。
このうち、絶縁破壊制御部８２１は、供給装置８１（特に、イグナイタ回路８１３）により、各端子８３に高圧パルスを印加させ、電極ＥＬ，ＥＲ間の絶縁を破壊させる。
【００４３】
図５は、始動期間Ｔ２にて端子８３に供給される電流の波形を示す図である。
始動制御部８２２は、絶縁破壊後から一対の電極ＥＬ，ＥＲの先端間で安定して放電（アーク放電）が開始されるために設けられた始動期間Ｔ２（すなわち、期間Ｔ１経過後で、ランプ電力が定格電力に達するまでの期間である立上期間Ｔ３に至るまでの始動期間Ｔ２）に動作する。この始動制御部８２２は、供給装置８１により端子８３に供給される交流電流の電流値を設定する電流値設定部８２２１と、当該交流電流の周波数を設定する周波数設定部８２２２とを備えている。そして、始動制御部８２２は、これら各設定部８２２１及び８２２２により、当該始動期間Ｔ２に、各端子８３に供給される半周期の電気量を設定する。
【００４４】
具体的に、始動制御部８２２は、図５に示すような交流電流を供給装置８１により生成させ、当該交流電流を端子８３に供給させる。この交流電流は、電極ＥＬ側、すなわち、端子８３Ｌ側が陰極で始まり、始動期間Ｔ２の初期（絶縁破壊後、制御装置８２により端子８３に初回の交流電流が供給されるとき）では、端子８３Ｌが陰極時に供給される半周期の電気量が、端子８３Ｒが陰極時に供給される半周期の電気量より大きく、かつ、当該始動期間Ｔ２の終期（電極ＥＬ，ＥＲの先端間で安定したアーク放電が行なわれ始めるとき）では、各端子８３Ｌ，８３Ｒにそれぞれ供給される半周期の電気量が同じとなる交流電流である。
【００４５】
詳述すると、当該交流電流の電流値は、電流値設定部８２２１により、始動期間Ｔ２において一定に設定されるが、半周期の幅（パルス幅）は、周波数設定部８２２２により、始動期間Ｔ２の初期では、陰極側（端子８３Ｌが陰極である期間）が大きく、陽極側（端子８３Ｒが陰極である期間）が小さくなるように設定される。そして、当該半周期の幅は、始動期間Ｔ２の初期から終期に向かうに従って、陰極側では次第に短くなるように設定されるのに対し、陽極側では次第に長くなるように設定され、始動期間Ｔ２の終期では、陰極側及び陽極側の半周期の幅は、同じとなるように設定される。
【００４６】
このため、始動期間Ｔ２に上記交流電流が各端子８３に供給されると、まず、前回消灯時に水銀が付着していない電極ＥＲから、水銀が付着した電極ＥＬに向かって電流が導通し、電極Ｅを構成するタングステンより仕事関数（「金属や半導体の固体表面から１個の電子を外側に取り出すのに必要な最小のエネルギー」を指す。）が低い水銀から、電極ＥＲに向かって電子が放出される。この電子は、電極ＥＲに衝突し、当該電極ＥＲの温度が上昇する。
【００４７】
電極ＥＲの温度が電子放出に必要な温度に達すると、当該電極ＥＲからも電子が放出され、電極ＥＬに付着した水銀に当該電子が衝突する。これにより、電極ＥＬに付着した水銀の温度が上昇して蒸発し、当該電極ＥＬが露出する。この電極ＥＬでは、付着した水銀により電子が衝突しづらい状態であったため、露出した直後では、当該電極ＥＬの温度は、電子の放出に適した温度に達しにくい。
このため、始動期間Ｔ２の終期に向かうに従って、端子８３Ｌに供給される半周期の電気量（図５においては、右上がりの斜線で示す）を減少させるとともに、端子８３Ｒに供給される半周期の電気量（図５においては、右下がりの斜線で示す）を増加させることで、当該電極ＥＲからの電子の放出量を増加させる。これにより、付着していた水銀が蒸発して露出した電極ＥＬの温度上昇が加速され、各電極ＥＬ，ＥＲの先端間でのアーク放電に速やかに移行することができる。
【００４８】
なお、当該始動期間Ｔ２に供給される交流電流の周波数は、５Ｈｚより大きく、５００Ｈｚ未満の値に設定されている。この周波数を５Ｈｚより大きく設定しているのは、一方の電極から放出された電子が発光部５１１の内壁に継続して衝突する場合でも、当該内壁を損傷する期間（０．１秒）より短い半周期で陰極と陽極とを切り替えることで、当該内壁が損傷することを防ぐためである。また、当該周波数を５００Ｈｚ未満に設定しているのは、周波数が高すぎる場合には、一方向への電流の導通のみが確認される非対称電流（半波電流）駆動となりやすく、一方の電極からの電子の放出が継続してしまうため、このような継続した電子の放出を防ぎ、発光部５１１内壁の損傷を防ぐためである。
【００４９】
立上期間制御部８２３は、立上期間Ｔ３にて、電流値及び周波数を一定とし、電圧値を、当該立上期間Ｔ３の初期から終期に向かうに従って増加させたランプ電流を、供給装置８１により放電灯５に供給させる。なお、この立上期間Ｔ３は、前述のように、一対の電極ＥＬ，ＥＲの先端間にて放電が行われている期間であり、当該立上期間Ｔ３に供給されるランプ電流の電流値は、始動期間Ｔ２に供給される電流値より高く設定されている。
定常点灯制御部８２４は、定常点灯期間Ｔ４にて、周波数を一定とし、ランプ電力を一定としたランプ電流を、供給装置８１により放電灯５に供給させる。
【００５０】
〔点灯処理〕
図６は、制御装置８２による放電灯５の点灯処理を示すフローチャートである。
制御装置８２は、前述の制御ユニット９３から放電灯５を点灯させる旨の信号が入力されると、図６に示すステップＳ１〜Ｓ４を有する点灯処理を実行し、当該放電灯５を点灯させる。
ステップＳ１は、絶縁破壊期間Ｔ１に実行される。このステップＳ１では、絶縁破壊制御部８２１が、供給装置８１（特に、イグナイタ回路８１３）に始動信号を出力し、当該供給装置８１により、各端子８３に高圧パルスを印加させ、電極ＥＬ，ＥＲ間の絶縁を破壊させる。
【００５１】
ステップＳ２は、本発明の電流供給手順に相当し、絶縁破壊後から一対の電極ＥＬ，ＥＲの先端間で安定して放電（アーク放電）が開始されるまでの始動期間Ｔ２に実行される。このステップＳ２では、始動制御部８２２が、前述のように、始動期間Ｔ２の初期に、供給装置８１により、端子８３Ｌに供給される半周期の電気量が、端子８３Ｒに供給される半周期の電気量より大きい交流電流を、各端子８３に供給させる。この際、始動制御部８２２は、端子８３Ｌ側が陰極となるように、交流電流の供給を開始させる。
【００５２】
また、始動制御部８２２は、当該始動期間Ｔ２の初期から終期に向かうに従って、端子８３Ｌに供給される半周期の電気量を減少させる一方で、端子８３Ｒに供給される半周期の電気量を増加させる。
そして、始動制御部８２２は、始動期間Ｔ２の終期に、端子８３Ｌ，８３Ｒのそれぞれに供給される半周期の電気量が同じとなるように、供給装置８１により、各端子８３Ｌ，８３Ｒに交流電流を供給させる。
【００５３】
ステップＳ３，Ｓ４は、立上期間Ｔ３及び定常点灯期間Ｔ４にそれぞれ実行される。このうち、ステップＳ３では、立上期間制御部８２３が、供給装置８１により、前述の交流電流を各端子８３に供給させ、ステップＳ４では、定常点灯制御部８２４が、同じく供給装置８１により、前述の交流電流を各端子８３に供給させる。これにより、放電灯５の点灯が安定化する。
【００５４】
以上説明した本実施形態のプロジェクタ１によれば、以下の効果がある。
（１）始動期間Ｔ２の初期では、端子８３Ｌに供給される半周期の電気量は、端子８３Ｒに供給される半周期の電気量より大きい。これによれば、電極ＥＬに付着した水銀、すなわち、仕事関数の低い水銀から電子を多量に放出させることができるので、水銀が付着していない電極ＥＲの温度上昇を速やかに行うことができる。
また、始動期間の終期では、各端子８３Ｌ，８３Ｒに供給される半周期の電気量が同じとなるので、既に電子を放出している電極ＥＲからの電子の放出量を、始動期間の初期に比べて増加させることができる。これにより、付着していた水銀が蒸発した電極ＥＬの温度上昇を速やかに行うことができる。
【００５５】
従って、各電極ＥＬ，ＥＲの温度上昇を速やかに行うことができるので、放電灯５の始動期間Ｔ２を短縮することができ、当該放電灯５の点灯始動性を向上することができる。また、当該始動期間Ｔ２が短縮されるので、放電灯５の損傷を抑制することができるほか、電極Ｅの劣化を抑制することができるので、当該放電灯５の長寿命化を図ることができる。更に、放電灯５の長寿命化により、光源装置４１１を頻繁に交換する必要がない。従って、プロジェクタ１のメンテナンスの手間を省くことができる。
【００５６】
（２）始動期間Ｔ２の初期から終期に向かうに従って、端子８３Ｒに供給される半周期の電気量は増加する。これによれば、電極ＥＬに付着した水銀の蒸発具合に応じて、当該水銀が蒸発して露出した電極ＥＬに、電極ＥＲから多量の電子を放出して衝突させることができるので、当該電極ＥＬの温度上昇を一層加速させることができる。従って、各電極ＥＬ，ＥＲの温度上昇を一層促進することができ、放電灯５の点灯始動性を一層向上することができる。
【００５７】
（３）周波数設定部８２２２により、始動期間Ｔ２において各端子８３Ｌ，８３Ｒに供給される交流電流の周波数が変動される。これによれば、当該各端子８３Ｌ，８３Ｒに供給される半周期の電気量を容易に設定することができる。従って、各端子８３Ｌ，８３Ｒへの交流電流の供給制御を容易に行うことができる。
【００５８】
（４）始動期間Ｔ２に設定される周波数は、５Ｈｚより大きく、５００Ｈｚ未満とされているので、前述のように、一方の電極から放出された電子が放電灯５の内壁に継続して衝突した場合でも、当該内壁が損傷することを抑制することができる。従って、放電灯５の劣化を抑制することができる。また、これにより、非対称電流（半波電流）駆動となることを防ぐことができるので、更なる放電灯の劣化を抑制しつつ、各電極ＥＬ，ＥＲに対する電流の供給を適切に行うことができる。
【００５９】
（５）発光部５１１の電極ＥＲ側を覆う副反射鏡５２により、当該発光部５１１から射出された光のうち、副反射鏡５２側に射出された光を、主反射鏡６側に反射することができる。従って、レンズアレイ４１２に入射しない光の発生を抑制することができ、当該光を有効に利用することができる。
また、副反射鏡５２側の電極ＥＲに端子８３Ｒを接続し、反対側の電極ＥＬに端子８３Ｌを接続することで、始動期間Ｔ２の初期に、水銀が付着した電極ＥＬに、水銀が付着していない電極ＥＲより多くの電気量を半周期に供給することができる。
従って、前述のように、放電灯５の点灯始動性を向上することができるほか、放電灯の利便性を向上することができる。
【００６０】
〔２．第２実施形態〕
次に、本発明の第２実施形態に係るプロジェクタについて説明する。
本実施形態のプロジェクタは、前述のプロジェクタ１と同様の構成を備えるが、当該プロジェクタ１では、放電灯５の始動期間Ｔ２に、電流値が一定で、周波数すなわち半周期の幅を変えた交流電流を端子８３に供給した。これに対し、本実施形態のプロジェクタでは、当該始動期間Ｔ２に、周波数が一定で、半周期の電流値を変えた交流電流を端子８３に供給する。この点で、本実施形態のプロジェクタとプロジェクタ１とは相違する。なお、以下の説明では、既に説明した部分と同一または略同一である部分については、同一の符号を付して説明を省略する。
【００６１】
図７は、本実施形態に係るプロジェクタの端子８３に始動期間Ｔ２に供給される電流の波形を示す図である。
本実施形態のプロジェクタは、図示を省略するが、プロジェクタ１と同様の構成を備えている。そして、本実施形態のプロジェクタが備える始動制御部８２２は、前述のステップＳ２にて、図７に示す波形を有する交流電流を、供給装置８１により端子８３に供給させる。
【００６２】
具体的に、始動制御部８２２により設定される交流電流は、端子８３Ｌを陰極側として供給が開始される。この交流電流は、前述の場合と同様に、始動期間Ｔ２の初期における陰極側（端子８３Ｌが陰極であるとき）の半周期の電気量（図７においては、右上がりの斜線で示す）が、陽極側（端子８３Ｒが陰極であるとき）の半周期の電気量（図７においては、右下がりの斜線で示す）より大きくなるように設定される。そして、時間経過とともに、陰極側の半周期の電気量が減少する一方、陽極側の半周期の電気量が増加して、始動期間Ｔ２の終期では、各半周期の電気量は、それぞれ同じとなる。
【００６３】
詳述すると、周波数設定部８２２２は、始動期間Ｔ２に供給される交流電流の周波数を、５Ｈｚより大きく、５００Ｈｚ以下の周波数に設定し、始動期間Ｔ２の間で常に一定に保つ。これに対し、電流値設定部８２２１は、始動期間Ｔ２の初期では、当該交流電流の電流値を陰極側が高く、陽極側が低くなるように設定する。
そして、電流値設定部８２２１は、始動期間Ｔ２の初期から終期に向かうに従って、陰極側の電流値を減少させる一方で、陽極側の電流値を増加させるように設定する。
更に、始動期間Ｔ２の終期では、電流値設定部８２２１は、陰極側及び陽極側のそれぞれ半周期の電流値をそれぞれ同じに設定する。これにより、当該始動期間Ｔ２の終期においては、端子８３Ｌ，８３Ｒに供給される半周期の電気量は、それぞれ同じとなる。
【００６４】
このような交流電流が始動期間Ｔ２に各端子８３に供給されると、前述の場合と同様に、始動期間Ｔ２の初期においては、仕事関数が低い水銀から電子が電極ＥＲに向かって放出される。この際、電極ＥＬに供給される半周期の電気量が、電極ＥＲに供給される半周期の電気量より大きいため、電極ＥＲの温度上昇を速やかに行うことができる。
【００６５】
電極ＥＲの温度が電子の放出に適した温度に達すると、当該電極ＥＲから放出された電子が衝突して、電極ＥＬに付着した水銀の温度が上昇し、当該水銀が蒸発する。しかしながら、電極ＥＬ自体の温度は低いので、始動期間Ｔ２の初期から終期に向かうに従って、電極ＥＲに供給される半周期の電気量を大きくすることで、当該電極ＥＲからの電子の放出が促進され、電極ＥＬの温度上昇が加速される。
そして、始動期間Ｔ２の終期となり、それぞれの電極ＥＬ，ＥＲがともに電子の放出に適した温度に達すると、各電極ＥＬ，ＥＲに供給される半周期の電気量はそれぞれ同じとなり、各電極ＥＬ，ＥＲの先端間での放電に移行しやすくなる。
【００６６】
以上説明した本実施形態に係るプロジェクタによれば、前述のプロジェクタ１が奏することのできる効果（１）、（２）、（４）及び（５）と同様の効果を奏することができるほか、以下の効果を奏することができる。
（６）電流値設定部８２２１により、始動期間Ｔ２において各端子８３Ｌ，８３Ｒに供給される交流電流の半周期の電流値が変動される。これによれば、当該各端子８３Ｌ，８３Ｒに供給される半周期の電気量を容易に設定することができる。従って、各端子８３Ｌ，８３Ｒへの交流電流の供給制御を容易に行うことができる。
【００６７】
〔３．実施形態の変形〕
本発明は前述の実施形態に限定されるものではなく、本発明の目的を達成できる範囲での変形、改良等は本発明に含まれるものである。
前記各実施形態では、始動期間Ｔ２の初期から終期に向かうに従って、端子８３Ｌに供給される半周期の電気量を減少させ、端子８３Ｒに供給される半周期の電気量を増大させたが、本発明はこれに限らない。例えば、始動期間Ｔ２における所定のタイミングで、一方の端子に供給される半周期の電気量に、他方の端子に供給される半周期の電気量を合わせるように設定してもよい。すなわち、始動期間Ｔ２にて、段階的に半周期の電気量を変えなくてもよい。また、端子８３Ｌに供給される半周期の電気量を始動期間Ｔ２にて一定とし、端子８３Ｒに供給される半周期の電気量を、当該始動期間Ｔ２の初期から終期にかけて増大させるようにしてもよい。
【００６８】
前記第１実施形態では、始動期間Ｔ２に、電流値を一定とし、周波数（半周期の幅）を変動させた交流電流を端子８３に供給し、また、前記第２実施形態では、始動期間Ｔ２に、周波数を一定とし、電流値を変動させた交流電流を端子８３に供給したが、本発明はこれに限らない。すなわち、電流値及び周波数の少なくともいずれか一方を設定すればよく、それぞれを変動させるようにしてもよい。また、可能であれば、電圧値を変動させるようにしてもよい。
【００６９】
前記各実施形態では、始動期間Ｔ２に供給される交流電流の周波数は、５Ｈｚより大きく、５００Ｈｚ未満の範囲で設定されるとしたが、本発明はこれに限らない。すなわち、発光部５１１の内壁の損傷が抑制されるのであれば、当該周波数は適宜設定してよい。
前記各実施形態では、発光部５１１における封止部５１３側（すなわち、電極ＥＲ側）に副反射鏡５２を設けるとしたが、本発明はこれに限らず、当該副反射鏡５２は無くてもよい。
【００７０】
前記各実施形態では、プロジェクタ１は、３つの液晶パネル４４２Ｒ，４４２Ｇ，４４２Ｂを備えるとしたが、本発明はこれに限らない。すなわち、２つ以下、あるいは、４つ以上の液晶パネルを用いたプロジェクタにも、本発明を適用可能である。
また、前記各実施形態では、光学ユニット４は平面視略Ｌ字形状を有した構成を説明したが、これに限らず、例えば、平面視略Ｕ字形状を有した構成を採用してもよい。
さらに、前記各実施形態では、光束入射面と光束射出面とが異なる透過型の液晶パネル４４２を用いていたが、光入射面と光射出面とが同一となる反射型の液晶パネルを用いてもよい。
【００７１】
前記各実施形態では、光変調装置として液晶パネル４４２を備えたプロジェクタ１を例示したが、入射光束を画像情報に応じて変調して光学像を形成する光変調装置であれば、他の構成の光変調装置を採用してもよい。例えば、マイクロミラーを用いたデバイスなど、液晶以外の光変調装置を用いたプロジェクタにも、本発明を適用することも可能である。このような光変調装置を用いた場合、光束入射側及び光束射出側の偏光板４４３，４４５は省略することができる。
【００７２】
前記各実施形態では、放電灯５及び点灯装置８を備えた光源装置４１１を、プロジェクタ１に採用したが、本発明はこれに限らない。すなわち、このような光源装置４１１は、スタンド等の照明装置に利用することも可能である。更に、点灯装置８を単体で利用することも可能である。
【産業上の利用可能性】
【００７３】
本発明は、放電灯を点灯させる点灯装置に好適に利用することができる。
【図面の簡単な説明】
【００７４】
【図１】本発明の第１実施形態に係るプロジェクタの概略構成を示す模式図。
【図２】前記実施形態における光源装置を示す縦断面図。
【図３】前記実施形態における点灯装置の構成を示す模式図。
【図４】前記実施形態における端子に供給されるランプ電力を示すグラフ。
【図５】前記実施形態における始動期間に端子に供給される電流の波形を示す図。
【図６】前記実施形態における制御装置による点灯処理を示すフローチャート。
【図７】本発明の第２実施形態に係るプロジェクタの点灯装置により始動期間に供給される電流の波形を示す図。
【符号の説明】
【００７５】
１…プロジェクタ、３…投射レンズ（投射光学装置）、５…放電灯、８…点灯装置、５２…副反射鏡（反射部材）、８１…供給装置（供給手段）、８２…制御装置（設定手段）、８３Ｌ…端子（第１端子）、８３Ｒ…端子（第２端子）、４１１…光源装置、４４２（４４２Ｒ，４４２Ｇ，４４２Ｂ）…液晶パネル（光変調装置）、５１１…発光部、Ｅ（ＥＬ，ＥＲ）…電極、Ｓ２…ステップ（電流供給手順）、Ｔ２…始動期間。
【図１】
2010135141.tif 000003
【図２】
2010135141.tif 000004
【図３】
2010135141.tif 000005
【図４】
2010135141.tif 000006
【図５】
2010135141.tif 000007
【図６】
2010135141.tif 000008
【図７】
2010135141.tif 000009